(57)【要約】【課題】マニュアル操作によりシート束の裁断を行うことのできるシート処理装置及び画像形成装置を提供する。【解決手段】裁断されたシート束が排出される排出挿入口２０１１に、裁断されるシート束を挿入する場合には、シート束搬送路Ｒの裁断手段２００７よりもシート束搬送方向上流側に設けられた第２位置決め手段２０１５をシート束搬送路Ｒに突出させると共に、シート束搬送手段２００３を、シート束を第２位置決め手段２０１５に向けて搬送する第１方向に回転させ、シート束を第２位置決め手段２０１５に当接させる。さらに、裁断手段２００７によるシート束の裁断動作が終了すると、シート束搬送手段２００３を第１方向と逆の第２方向に回転させ、シート束を排出挿入口２０１１に向けて搬送する。【選択図】図２
2007301657.tif 000002
【特許請求の範囲】
【請求項１】
シート束を製本する製本部と、前記製本部により製本されたシート束を裁断する裁断手段及び前記製本されたシート束が通過するシート束搬送路に出没自在に突出して前記シート束搬送路を通過するシート束の裁断時の位置決めを行う第１位置決め手段を有する裁断装置と、を備えたシート処理装置において、
前記裁断手段によって裁断されたシート束が排出され、かつ裁断されるシート束を挿入するための排出挿入口と、
前記シート束搬送路の前記裁断手段よりもシート束搬送方向上流側に設けられ、前記シート束搬送路に出没自在に突出して前記裁断されるシート束の裁断時の位置決めを行う第２位置決め手段と、
前記排出挿入口に挿入されたシート束を前記第２位置決め手段に向けて搬送する第１方向及び前記裁断されたシート束を前記排出挿入口に向けて搬送する第１方向と逆の第２方向に回転可能なシート束搬送手段と、
前記シート束搬送手段の回転方向と、前記第１位置決め手段及び第２位置決め手段の出没動作を制御する制御手段と、を備え、
前記制御手段は、前記排出挿入口から前記シート束が挿入される場合には前記第２位置決め手段を突出させると共に前記突出した前記第２位置決め手段にシート束が当接するよう前記シート束搬送手段を前記第１方向に回転させ、前記裁断手段による前記シート束の裁断動作が終了すると、前記シート束搬送手段を前記第２方向に回転させるよう制御することを特徴とするシート処理装置。
【請求項２】
前記排出挿入口に前記裁断されるシート束を挿入するモードを設定するモード設定手段を設け、
前記制御手段は前記モード設定手段の設定に基づいて前記シート束搬送手段の回転方向と、前記第１位置決め手段及び第２位置決め手段の出没動作を制御することを特徴とする請求項１記載のシート処理装置。
【請求項３】
前記第１位置決め手段及び前記第２位置決め手段をシート束搬送路に沿って移動させる移動手段を備え、
前記制御手段は、前記シート束の裁断量に応じて前記第１位置決め手段及び前記第２位置決め手段の位置を移動させるよう前記移動手段を制御することを特徴とする請求項１乃至３のいずれか１項に記載のシート処理装置。
【請求項４】
画像を形成する画像形成部と、前記画像形成部により画像が形成されたシートの束を製本処理する製本部及び前記製本されたシート束を裁断する裁断装置とを有する前記請求項１乃至３のいずれか１項に記載のシート処理装置と、を備えたことを特徴とする画像形成装置。
【請求項５】
前記制御手段及び前記モード設定手段を、画像形成装置本体又は前記請求項１乃至３のいずれか１項に記載のシート処理装置に設けたことを特徴とする請求項４記載の画像形成装置。
【発明の詳細な説明】
【技術分野】
【０００１】
本発明は、シート処理装置及び画像形成装置に関し、特に中折りや中綴じして製本したシート束の小口を揃えるための裁断装置を備えたものに関する。
【背景技術】
【０００２】
従来、複写機、レーザービームプリンタ等の画像形成装置において、画像が形成された後、排出されるシートを取り込み、このシートを中折り、或はシートの略中央付近を綴じ処理し、２つ折り等の処理を行って中綴じ製本するシート処理装置を備えたものがある。
【０００３】
さらに、このようなシート処理装置では、製本したシート束の小口を揃えるためのオンラインの裁断装置を備え、この裁断装置により製本した後のシート束の小口を裁断するようにしたものがある（例えば、特許文献１参照）。
【０００４】
【特許文献１】特開２００２−３０６９号公報
【発明の開示】
【発明が解決しようとする課題】
【０００５】
ところで、このような従来のオンラインの裁断装置を備えたシート処理装置及び画像形成装置においては、裁断処理するシート束は、製本処理が施されて裁断装置に搬送されてきたシート束に限られている。このため、それ以外のシート束について裁断処理を施すことができない。
【０００６】
また、例えば、上記従来のシート処理装置のように、裁断できる小口がシート束の前小口に限られている場合には、シート束に対しての裁断は、一つの小口に限られ、シート束の他の小口の裁断を行うことができない。このような場合には、前小口だけの裁断では製本されたシート束の形を整えることができないことから、シート束の他の小口の裁断を別途、マニュアル操作により行うようにしたいという要望があった。
【０００７】
そこで、本発明は、このような現状に鑑みてなされたものであり、マニュアル操作によりシート束の小口の裁断を行うことのできるシート処理装置及び画像形成装置を提供することを目的とするものである。
【課題を解決するための手段】
【０００８】
本発明は、シート束を製本する製本部と、前記製本部により製本されたシート束を裁断する裁断手段及び前記製本されたシート束が通過するシート束搬送路に出没自在に突出して前記シート束搬送路を通過するシート束の裁断時の位置決めを行う第１位置決め手段を有する裁断装置と、を備えたシート処理装置において、前記裁断手段によって裁断されたシート束が排出され、かつ裁断されるシート束を挿入するための排出挿入口と、前記シート束搬送路の前記裁断手段よりもシート束搬送方向上流側に設けられ、前記シート束搬送路に出没自在に突出して前記裁断されるシート束の裁断時の位置決めを行う第２位置決め手段と、前記排出挿入口に挿入されたシート束を前記第２位置決め手段に向けて搬送する第１方向及び前記裁断されたシート束を前記排出挿入口に向けて搬送する第１方向と逆の第２方向に回転可能なシート束搬送手段と、前記シート束搬送手段の回転方向と、前記第１位置決め手段及び第２位置決め手段の出没動作を制御する制御手段と、を備え、前記制御手段は、前記排出挿入口から前記シート束が挿入される場合には前記第２位置決め手段を突出させると共に前記突出した前記第２位置決め手段にシート束が当接するよう前記シート束搬送手段を前記第１方向に回転させ、前記裁断手段による前記シート束の裁断動作が終了すると、前記シート束搬送手段を前記第２方向に回転させるよう制御することを特徴とするものである。
【発明の効果】
【０００９】
本発明によれば、排出挿入口からシート束が挿入された場合には、挿入されたシート束を第２位置決め手段に当接させた後、シート束を裁断し、裁断動作が終了すると、シート束を排出挿入口に向けて搬送することができる。これにより、マニュアル操作によるシート束の裁断が可能となる。
【発明を実施するための最良の形態】
【００１０】
以下、本発明を実施するための最良の実施の形態を図面を用いて詳細に説明する。
【００１１】
図１は、本発明の実施の形態に係るシート処理装置を備えた画像形成装置の一例である複写機の断面図である。
【００１２】
同図において、１０００は複写機であり、この複写機１０００は、複写機本体３００と、複写機本体３００の上面に配されたスキャナ２００とを備えている。
【００１３】
ここで、原稿を読み取るスキャナ２００は、原稿給送部１００、スキャナユニット１０４、レンズ１０８、イメージセンサ１０９等を備えている。そして、このスキャナ２００により原稿を読み取る際には、まず原稿給送部１００のトレイ１００１上に原稿をセットする。なお、このとき原稿は、トレイ１００１上に画像が形成されている面が上向きのフェイスアップ状態でセットされているものとする。
【００１４】
次に、このようにセットされた原稿を原稿給送部１００により先頭頁から順に１枚ずつ左方向（図の矢印方向）に搬送した後、湾曲したパスを介してプラテンガラス１０２上を左方向から右方向へ搬送し、この後、排紙トレイ１１２上に排出する。
【００１５】
この所謂流し読みによる原稿読み取りの際には、スキャナユニット１０４は、所定の位置に保持された状態にあり、このスキャナユニット１０４上を原稿が左から右へと通過することにより原稿の読取処理が行われる。この読取処理においては、プラテンガラス１０２上を通過する際、原稿に対してスキャナユニット１０４のランプ１０３により光を照射し、その反射光をミラー１０５，１０６，１０７、レンズ１０８を介してイメージセンサ１０９に導くようにする。なお、このイメージセンサ１０９により読み取られた原稿の画像データは、所定の画像処理が施されて露光制御部１１０へ送られる。
【００１６】
一方、所謂固定読みによる原稿読み取りの際には、原稿給送部１００により搬送した原稿をプラテンガラス１０２上に一旦停止させ、この状態でスキャナユニット１０４を左から右へと移動させることにより原稿の読取処理を行う。さらに、原稿給送部１００を使用しないで原稿の読み取りを行う場合には、ユーザは、原稿給送部１００を持ち上げ、プラテンガラス１０２上に原稿をセットする。
【００１７】
また、複写機本体３００は、カセット１１４，１１５に収納されたシートＳを給送するシート給送部１００２と、シート給送部１００２により給送されたシートＳに画像を形成する画像形成部１００３等を備えている。
【００１８】
ここで、画像形成部１００３は、感光ドラム１１１、現像器１１３、転写帯電器１１６等を備えている。そして、画像形成の際には、露光制御部１１０からのレーザ光が感光ドラム上に照射されることにより、感光ドラム上に潜像が形成され、さらにこの潜像は、この後、現像器１１３によってトナー像として顕像化されるようになっている。なお、画像形成部１００３の下流側には定着部１１７、排出ローラ対１１８等が配設されている。
【００１９】
次に、このような構成の複写機本体３００の画像形成動作ついて説明する。
【００２０】
まず、既述したようにスキャナ２００における流し読み、或は固定読み等において、イメージセンサ１０９により読み取られた原稿の画像データは、所定の画像処理が施された後、露光制御部１１０へ送られる。ここで、露光制御部１１０は、この画像信号に応じたレーザ光を出力する。
【００２１】
そして、このレーザ光は、ポリゴンミラー１１０ａにより走査されながら感光ドラム１１１上に照射され、感光ドラム１１１上には走査されたレーザ光に応じた静電潜像が形成される。次に、感光ドラム１１１上に形成された静電潜像を現像器１１３により現像し、トナー像として可視化する。
【００２２】
一方、シートＳは、カセット１１４，１１５、手差し給紙部１２５、両面搬送パス１２４の何れかから感光ドラム１１１と転写帯電器１１６とにより構成される転写部へ搬送される。そして、この転写部において可視化された感光ドラム上のトナー像がシートＳに転写され、転写後のシートＳは、定着部１１７にて定着処理が施される。
【００２３】
次に、定着部１１７を通過したシートＳをフラッパ１２１により一旦パス１２２に導き、シートの後端がフラッパ１２１を抜けた後に、スイッチバックさせ、フラッパ１２１により排出ローラ１１８へ搬送し、複写機本体３００から排出する。これにより、シートＳを、トナー像が形成された面が下向きの状態（フェイスダウン）で複写機本体３００から排出することができる。
【００２４】
ここで、このような所謂反転排紙によってフェイスダウンでシートＳを排出することにより、先頭頁から順に画像形成処理を行う場合、例えば原稿給送部１００を使用して画像形成処理を行う場合に頁順序を揃えることが出来る。また、コンピュータからの画像データに対する画像形成処理を行う場合にも、頁順序を揃えることが出来る。
【００２５】
なお、手差し給紙部１２５から搬送するＯＨＰシート等の硬いシートＳに対して画像形成処理を行う場合は、パス１２２にシートＳを導くことなく、トナー像が形成された面を上向きの状態（フェイスアップ）で複写機本体３００から排出する。
【００２６】
また、シートＳの両面に画像形成処理を行う場合は、シートＳを定着部１１７からまっすぐ排出ローラ方向へと導き、シートＳの後端がフラッパ１２１を抜けた直後にシートＳをスイッチバックし、フラッパ１２１により両面搬送パス１２４へと導くようにする。
【００２７】
ところで、この複写機本体３００には、複写機本体３００から排出される画像形成済みのシートを折り処理する折り処理部４００及びシートに対して綴じ処理や製本処理を行うシート処理装置であるフィニッシャ５００が備えられている。
【００２８】
次に、折り処理部４００及びフィニッシャ５００の構成について説明する。
【００２９】
折り処理部４００は、複写機本体３００から排出されたシートを導入し、フィニッシャ５００側に導くための搬送パス１３１を備えており、この搬送パス１３１上には、搬送ローラ対１３０，１３３が設けられている。また、搬送ローラ対１３３の近傍には切り換えフラッパ１３５が設けられており、この切り換えフラッパ１３５は、搬送ローラ対１３０により搬送されたシートを折りパス１３６またはフィニッシャ５００側に導くためのものである。
【００３０】
ここで、シートＳに対し折り処理を行う場合は、切り換えフラッパ１３５を折りパス１３６側に切り替え、シートを折りパス１３６に導くようにする。この後、折りパス１３６に導かれたシートは、ストッパ１３７に先端を突き当てられ、このように先端を突き当てられることで次第に形成されるループが、折りローラ１４０，１４１により折り曲げられる。さらに、この折り曲げ部を、上方のストッパ１４３に突き当てることで形成されたループを、折りローラ１４１，１４２により更に折ることで、シートはＺ折りされる。
【００３１】
なお、このようにＺ折りされたシートは、搬送パス１４５を介して搬送パス１３１に送られ、排出ローラ１３３により下流側のフィニッシャ５００に排出される。一方、折り処理を行わない場合は、切り換えフラッパ１３５をフィニッシャ側に切り換え、複写機本体３００から排出されたシートを搬送パス１３１を介して、フィニッシャ５００へ直接送り込むようになっている。
【００３２】
一方、フィニッシャ５００は、複写機本体３００からのシートを取り込み、取り込んだ複数のシートを整合して、１つのシート束として束ねる処理、ソート処理、ノンソート処理を行うものである。
【００３３】
また、シート束の後端側をステイプルするステイプル処理（綴じ処理）、製本処理等の処理を行うものであり、シートをステイプルするステイプル部６００及びシート束を二つ折りにして製本する製本部であるサドルステッチャ８００を備えている。なお、以下の説明において、サドルステッチャ８００は、シート束の略中央付近を綴じ処理した後、２つに折り畳んで製本するようにしているが、シート束を中折りして製本することもできる。
【００３４】
さらに、フィニッシャ５００は、中綴じ処理、中折処理を行い簡易製本したシート束の小口を揃えるため小口を裁断する裁断装置であるトリマー２０００を備えている。
【００３５】
ここで、フィニッシャ５００は、折り処理部４００を介して搬送されたシートを装置内部に取り込むための入口ローラ対２３２を有している。さらに、この入口ローラ対２３２の下流には、シートをフィニッシャパス２３３、又は下方の製本パス２３４に導くための切替フラッパ２３５が設けられている。
【００３６】
そして、切替フラッパ２３５によりフィニッシャパス２３３に導かれると、シートは、搬送ローラ対５１０を介し、バッファローラ５１３に向けて搬送される。なお、搬送ローラ対５１０とバッファローラ５１３は正逆転可能となるように構成されている。また、搬送ローラ対５１０とバッファローラ５１３との間には、必要に応じてシートの後端付近に穴あけ（穿孔）処理を行うパンチユニット５１２が設けられている。
【００３７】
ここで、バッファローラ５１３は、搬送ローラ５１０を介して搬送されたシートを所定枚数巻き付けることが可能なローラであり、シートはバッファローラ５１３の回転中に押下コロ５１５によりバッファローラ５１３に巻き付けられる。そして、バッファローラ５１３に巻き付けられたシートは、バッファローラ５１３が回転する方向へ搬送される。
【００３８】
なお、バッファローラ５１３の周面部に形成されているバッファパス５１６の途中には、第１切替フラッパ５１７が設けられており、その下方には、第２切替フラッパ５２０が設けられている。
【００３９】
ここで、第１切替フラッパ５１７は、バッファローラ５１３に巻き付けられたシートをバッファローラ５１３から剥離して、サンプルトレイ７０１に導くためのものである。第２切替フラッパ５２０は、バッファローラ５１３に巻き付けられたシートを、バッファローラ５１３から剥離してソートパス５２１に導く、或は巻き付けられた状態で再びバッファパス５１６に導くためのものである。
【００４０】
そして、第１切替フラッパ５１７及び第２切替フラッパ５２０によりソートパス５２１に導かれたシートは、ステイプル部６００に搬送される。
【００４１】
ここで、ステイプル部６００は、シートを積載するシート積載手段としての処理トレイ６３０と、処理トレイ６３０上に積載されたシート束に対してステイプル処理を施すステイプラ６０１を備えている。
【００４２】
そして、このようにステイプル部６００の処理トレイ６３０に搬送された後、シートは順次整合処理されながら束状に収容され、仕分け処理やステイプル処理が行われる。この後、束排紙ローラ対６１０ａ，６１０ｂによりスタックトレイ７００に排出される。なお、ステイプル処理はステイプラ６０１により行われるものであり、ステイプラ６０１は処理トレイ６３０に搬送されたシートの幅方向に移動可能となっており、これによりシートの任意の位置にステイプルする事ができる。
【００４３】
一方、切替フラッパ２３５の切替により製本パス２３４に導かれたシートは、サドルステッチャ８００へ送られる。ここで、このサドルステッチャ８００には、収納ガイド２３７と、収納ガイド２３７を挟んで対向配置された２対のステイプラ２４０が設けられている。また、ステイプラ２４０の下流側には、折りローラ対２４２，２４３と、折りローラ対２４２，２４３と対向した位置に突き出し部材２４１が設けられている。
【００４４】
さらに、この折りローラ対２４２，２４３等の下方にはシート位置決め部材２３９が設けられており、このシート位置決め部材２３９は、シート搬入時において、シート搬送方向中央部がステイプラ２４０の綴じ位置になる位置で停止するようになっている。
【００４５】
そして、サドルステッチャ８００へ送られたシートは、まずサイズに応じてソレノイドにより動作するフラッパ２３６により搬入口を選択されて、収納ガイド２３７内に搬入される。この後、シートがシート位置決め部材２３９に達すると、ステイプラ２４０により、シート束のシート搬送方向中央部が綴じられる。
【００４６】
次に、このように綴じられたシート束のシート搬送方向中央部に向けて、突き出し部材２４１を突出することにより、収納ガイド２３７で束状に収納されたシート束を折りローラ対２４２，２４３間に押し込むことができ、シート束を折り畳むことができる。なお、この突き出し部材２３７は、シート束を押し込んだ後、再びホームポジションに戻るようになっている。
【００４７】
そして、このように折り畳まれたシート束は、この後、第１排出ローラ対２６０ａ，２６０ｂ、第２排出ローラ対２７０ａ，２７０ｂ、排出ガイド２６１，２６２を介してトリマー２０００にむけて排出される。
【００４８】
なお、９００はフィニッシャ５００の上部に設けられたインサータである。このインサータ９００は、シート束の先頭頁、最終頁、または複写機本体３００にて画像が形成されたシート間に通常のシートとは別のシート（インサートシート）を挿入するためのものである。そして、このインサータ９００は、インサートトレイ９０１にセットされたシートを、複写機本体３００を通すことなくサンプルトレイ７０１、処理トレイ６３０、収納ガイド２３７のいずれかに給送するようにしている。
【００４９】
なお、本実施の形態では、インサータ９００のインサートトレイ９０１には、ユーザによりフェイスアップの状態（表面が上の状態）で表紙、または、インサートシート用のシートがセットされるものとする。そして、ユーザによりインサートトレイ９０１上に積載されたシート束は、１枚ずつ順次分離され、所望のタイミングでフィニッシャパス２３３、または、製本パス２３４へ搬送される。
【００５０】
ところで、トリマー２０００は、既述したように中綴じ処理、中折処理を行い簡易製本したシート束の小口を揃えるために、小口を裁断するためのものである。
【００５１】
このトリマー２０００は、図２に示すように、第１排出ローラ対２６０ａ，２６０ｂ、第２排出ローラ対２７０ａ，２７０ｂにより搬入口２０１０に送り込まれたシート束が通過するシート束搬送路である束搬送路Ｒを備えている。
【００５２】
そして、この束搬送路Ｒには、シート束を搬送する複数のシート束搬送手段である束搬送ローラ２００３と、束搬送路Ｒに出没可能に設けられた第１及び第２位置決め手段である第１及び第２ストッパ２０１４，２０１５が設けられている。
【００５３】
なお、束搬送ローラ２００３は、後述するように排出挿入口である排紙口２０１１に挿入されたシート束を第２ストッパ２０１５に向けて搬送する第１方向に回転可能となっている。また、この束搬送ローラ２００３は、小口が裁断されたシート束を排紙口２０１１に向けて搬送する第１方向と逆の第２方向に回転可能となっている。
【００５４】
さらに、トリマー２０００は、束搬送路Ｒの上方に上下方向に移動可能に設けられ、束搬送路Ｒに搬送されたシート束の小口を裁断する裁断手段であるカッター２００７を備えている。
【００５５】
ここで、第１ストッパ２０１４は、搬入口２０１０からシート束が送り込まれたとき、即ちオンラインでシート束が送り込まれたとき束搬送路Ｒに突出してシート束に突き当たり、シート束の位置決めを行うものである。また、この第１ストッパ２０１４は、カッター２００７による裁断位置よりもシート束搬送方向下流側に設けられると共に、シートサイズや、トリム量に応じて矢印に示すように束搬送路Ｒに沿って移動可能に構成されている。
【００５６】
第２ストッパ２０１５は、後述するマニュアル操作による裁断動作（トリム動作）の際、排紙口２０１１からシート束が束搬送路Ｒに挿入されたとき束搬送路Ｒに突出するようになっている。そして、このように束搬送路Ｒに突出することにより、束搬送ローラ２００３の第１方向の回転により搬送されるシート束に突き当たり、シート束の位置決めを行うものである。また、この第２ストッパ２０１５は、カッター２００７よりもシート束搬送方向上流側である搬入口側に設けられると共に、シートサイズや、トリム量に応じて矢印に示すように束搬送路Ｒに沿って移動可能に構成されている。
【００５７】
なお、図２において、２００９ａ、２００９ｂは上下方向に移動可能な第１及び第２押さえガイドである。そして、第１及び第２ストッパ２０１４，２０１５にシート束を突き当てた後、この第１及び第２押さえガイド２００９ａ，２００９ｂを下降させることにより、位置決めされたシート束を固定することができる。
【００５８】
さらに、このように第１及び第２ストッパ２０１４，２０１５により位置決めされたシート束を第１及び第２押さえガイド２００９ａ，２００９ｂにより固定した後、カッター２００７を下降させることにより、確実にシート束の小口を裁断することができる。
【００５９】
図３は、このように構成されたトリマー２０００の制御ブロック図であり、図３において、５１は制御手段であるＣＰＵ、５２は小口を裁断するトリム量入力手段である、例えば複写機本体３００に設けられた操作パネルである。なお、この操作パネル５２は、小口（前小口）が裁断されたシート束の他の小口を裁断する場合には、トリマー２０００に対しマニュアル操作による裁断動作（トリム動作）を行う指示を行うことができるようになっている。
【００６０】
５３は第１及び第２ストッパ２０１４，２０１５を出没させるためのストッパ移動モータＭ１の駆動を制御するストッパ移動モータドライバ、５４はカッター２００７を昇降させるためのカッターモータＭ２を動作させるカッター動作モータドライバである。５５は束搬送ローラ２００３を既述した第１方向又は第２方向に回転させるためのシート束搬送モータＭ３のシート束搬送モータドライバ、５６は例えば複写機本体３００に設けられ、シートサイズを検知するシートサイズ検知手段である。
【００６１】
ここで、ＣＰＵ５１は、オンライン及びマニュアル操作による裁断動作の際、操作パネル５２から入力される小口裁断量と、シートサイズ検知手段５６から入力されるシートサイズを元に各モータドライバ５３〜５５に駆動信号を発信するようにしている。
【００６２】
例えば、搬入口２０１０に他の小口が裁断されるシート束を挿入して他の小口を裁断するモードを設定するモード設定手段である操作パネル５２によりマニュアル操作による裁断動作モードが指定された場合には、第２ストッパ２０１５を突出させる。
【００６３】
さらに、束搬送ローラ２００３を第１方向に回転させるよう各モータドライバ５３〜５５に駆動信号を発信するようにしている。そして、この駆動信号に基づき各モータドライバ５３〜５５は各モータＭ１〜Ｍ３を適宜動作させるようにしている。なお、このＣＰＵ５１及び操作パネル５２は、複写機本体３００に設けても、フィニッシャ５００（トリマー２０００）に設けても良い。
【００６４】
次に、このように構成されたトリマー２０００のオンライン時における裁断動作について説明する。
【００６５】
サドルステッチャ８００により中綴じ、或は中折りされたシート束は、まず図４の（ａ）に示すように、搬入口２０１０から束搬送路Ｒに送り込まれる。なお、このとき第１ストッパ２０１４は、ＣＰＵ５１により制御される不図示の移動手段により、送り込まれたシート束ＳＡのサイズや、トリム量に応じて矢印方向に移動し、この位置でシート束ＳＡの位置決めを行うよう束搬送路Ｒから突出している。この後、シート束ＳＡは、束搬送路Ｒに突出している第１ストッパ２０１４に突き当たるまで、第２方向に回転する束搬送ローラ２００３により搬送される。
【００６６】
次に、図４の（ｂ）に示すように、シート束ＳＡが第１ストッパ２０１４に突き当たり、位置決めされると、第１押さえガイド２００９ａにより束搬送路Ｒの底面に押し付けられ、固定される。この後、カッター２００７が下降し、シート束ＳＡの小口を裁断する。ここで、第１ストッパ２０１４の位置をシートサイズに応じて移動させることにより、多様なサイズのシート束ＳＡに対応した裁断（トリム）を行うことができる。
【００６７】
なお、図４において、２００４は束搬送路Ｒにシート束ＳＡが搬送されたことを検知するセンサ、２０１３はシート束ＳＡが第１ストッパ２０１４に達したことを検知するセンサであり、これらのセンサ２００４，２０１３の信号はＣＰＵ５１に入力される。
【００６８】
次に、このような裁断が終了すると、図５の（ａ）に示すように、第１ストッパ２０１４は束搬送路Ｒからシート束ＳＡの搬送を妨げない位置に退避する。また、これと同時に第１押さえガイド２００９ａもシート束ＳＡから上方に離間し、この後、シート束ＳＡは、第２方向に回転する搬送ローラ２００３により排紙口２０１１から排出トレイ２１００に排出される。
【００６９】
なお、本実施の形態において、排出トレイ２１００には矢印方向に移動する移動ベルト２０１７が設けられており、この移動ベルト２０１７は、シート束ＳＡが排出される度に適宜移動するようになっている。そして、このように移動ベルト２０１７を移動させることにより、図５の（ｂ）に示すように、排出されるシート束ＳＡが一箇所にとどまることがないようにしている。これにより、排出トレイ２１００上のシート束ＳＡの積載性が向上すると共に、先に排出されたシートＳＡに邪魔されることなくシート束ＳＡを排出することができる。
【００７０】
ところで、このトリマー２０００は、既述した操作パネル５２によるモード設定により、例えば、一つの小口が切断されたシート束ＳＡを再度、手動によりトリマー内に送り込んで他の小口を切断するマニュアルトリムが可能になっている。
【００７１】
次に、このようなマニュアルトリム動作について説明を行う。
【００７２】
マニュアルトリム動作を行う場合は、まず操作パネル５２によりマニュアル操作による裁断動作モードを設定した後、図６の（ａ）に示すように排紙口２０１１から裁断を行うシート束ＳＡを、シート束ＳＡの裁断したい小口と反対側の小口を先頭にして挿入する。
【００７３】
なお、このときＣＰＵ５１の制御により第１ストッパ２０１４はシート束ＳＡの搬送を妨げない束搬送路Ｒの下方位置に退避した状態となっている。また、第２ストッパ２０１５は、ＣＰＵ５１により制御される不図示の移動手段により、送り込まれたシート束ＳＡのサイズや、トリム量に応じて矢印方向に移動し、この位置でシート束ＳＡの位置決めを行うよう束搬送路Ｒから突出している。
【００７４】
そして、この後、挿入されたシート束ＳＡは、図６の（ｂ）に示すように、束搬送路Ｒに突出している第２突き当てストッパ２０１５に突き当たるまで、第１方向に回転する束搬送ローラ２００３によりオンライントリム時とは逆方向に搬送される。
【００７５】
次に、図７の（ａ）に示すように、シート束ＳＡが第２ストッパ２０１５に突き当たり、位置決めされると、第２押さえガイド２００９ｂにより束搬送路Ｒの底面に押し付けられ、固定される。この後、カッター２００７が下降し、シート束ＳＡのトリムしたい小口（辺）を裁断する。ここで、第２ストッパ２０１５の位置をシートサイズに応じて移動させることにより、多様なサイズのシート束ＳＡに対応した裁断（トリム）を行うことができる。
【００７６】
次に、このような裁断が終了すると、第２押さえガイド２００９ｂがシート束ＳＡから上方に離間し、この後、図７の（ｂ）に示すように、シート束ＳＡは第２方向に回転する搬送ローラ２００３により排紙口２０１１から排出トレイ２１００に排出される。
【００７７】
このように、排紙口２０１１からシート束ＳＡが挿入された場合には、挿入されたシート束ＳＡを第２ストッパ２０１５に当接させた後、シート束ＳＡの小口を裁断し、裁断動作が終了すると、シート束ＳＡを排紙口２０１１に向けて搬送することができる。これにより、マニュアル操作によるシート束の小口の裁断が可能となる。
【００７８】
また、このようにマニュアルでシート束ＳＡを切断可能にすることにより、複写機本体３００で作成されたシート束以外のものもトリム可能になる。さらに、複写機本体側がオンラインでトリマーを使用しない場合には、画像形成中であってもトリマー２０００をマニュアル動作させることができる。
【００７９】
なお、これまでの説明においては、マニュアルトリムの際には、シート束ＳＡの一つの小口のみを裁断する場合について述べたが、本発明は、これに限定されることはない。例えば、既述したようにオンライン時、裁断される図８の破線（１）に示す前小口が切断されたシート束ＳＡを、マニュアルトリムの際、天側から挿入すると、既述したように破線（３）に示す地側が切断される。
【００８０】
更に、この後、オンライン時と同様に、第１ストッパ２０１４を突出させ、この第１ストッパ２０１４に地側を突き当てると、破線（２）に示す天側の小口が裁断される。つまり、シート束ＳＡに対し、まずオンラインで破線（１）に示す前小口を裁断する。この後、排出されたシート束ＳＡの破線（２）及び（３）に示す天側と地側の小口をマニュアルで裁断することにより、シート束ＳＡの３方を一台のトリマー２００で裁断することができる。
【図面の簡単な説明】
【００８１】
【図１】本発明の実施の形態に係るシート処理装置を備えた画像形成装置の一例である複写機の断面図。
【図２】上記シート処理装置であるフィニッシャに設けられたトリマーの構成を説明する図。
【図３】上記トリマーの制御ブロック図。
【図４】上記トリマーのオンライン時における動作を説明する第１の図。
【図５】上記トリマーのオンライン時における動作を説明する第２の図。
【図６】上記トリマーのマニュアルトリム時における動作を説明する第１の図。
【図７】上記トリマーのマニュアルトリム時における動作を説明する第２の図。
【図８】上記トリマーでシート束の３方を裁断する際の説明図。
【符号の説明】
【００８２】
５１        ＣＰＵ
５２        操作パネル
３００      複写機本体
５００      フィニッシャ
８００      サドルステッチャ
１０００    複写機
１００３    画像形成部
２０００    トリマー
２００３    束搬送ローラ
２００７    カッター
２０１０    搬入口
２０１１    排紙口
２０１４    第１ストッパ
２０１５    第２ストッパ
Ｒ          束搬送路
ＳＡ        シート束
【図１】
2007301657.tif 000003
【図２】
2007301657.tif 000004
【図３】
2007301657.tif 000005
【図４】
2007301657.tif 000006
【図５】
2007301657.tif 000007
【図６】
2007301657.tif 000008
【図７】
2007301657.tif 000009
【図８】
2007301657.tif 000010